(57)【特許請求の範囲】
【請求項１】
リバースリンク上でパイロットを送信するように、前記リバースリンク上で送信された前記パイロットに基づいてセクタにより決定されたパイロット品質インディケータ（ＰＱＩ）を受信するように、および、前記ＰＱＩと前記パイロットに対する送信パワーに基づいて、符号分割多重接続（ＣＤＭＡ）チャンネル又は直交周波数分割多重接続（ＯＦＤＭＡ）チャンネルの前記リバースリンク上の伝送に対する送信パワーを決定するように、構成される少なくとも１つのプロセッサであって、前記ＰＱＩは、パイロットキャリア・オーバ・サーマル比（ＰＣｏＴ）を含む、少なくとも１つのプロセッサと、
前記少なくとも１つのプロセッサに結合されるメモリと
を備える、装置。
【請求項２】
前記少なくとも１つのプロセッサは、前記パイロットに対するパワー制御（ＰＣ）命令を受信するように、および、前記ＰＣ命令に基づいて前記パイロットに対する前記送信パワーを調整するように、構成される、請求項１の装置。
【請求項３】
前記少なくとも１つのプロセッサは、前記セクタからの干渉情報を受信するように、および、前記干渉情報にさらに基づいて前記伝送に対する前記送信パワーを決定するように、構成される、請求項１の装置。
【請求項４】
前記少なくとも１つのプロセッサは、前記セクタからライズオーバサーマル比（ＲｏＴ）を受信するように、前記ＲｏＴにさらに基づいて前記伝送に対する前記送信パワーを決定するように、および、符号分割多重接続（ＣＤＭＡ）により、前記決定された送信パワーで前記伝送を送信するように、構成される、請求項１の装置。
【請求項５】
前記少なくとも１つのプロセッサは、前記セクタから干渉オーバサーマル比（ＩｏＴ）を受信するように、前記ＩｏＴにさらに基づいて前記伝送に対する前記送信パワーを決定するように、および、直交周波数分割多重接続（ＯＦＤＭＡ）により、前記決定された送信パワーで前記伝送を送信するように、構成される、請求項１の装置。
【請求項６】
リバースリンク上でパイロットを送信すること、
前記リバースリンクリンク上で送信された前記パイロットに基づいてセクタにより決定されたパイロット品質インディケータ（ＰＱＩ）を受信すること、および、
前記ＰＱＩと前記パイロットに対する送信パワーに基づいて、符号分割多重接続（ＣＤＭＡ）チャンネル又は直交周波数分割多重接続（ＯＦＤＭＡ）チャンネルの前記リバースリンク上の伝送に対する送信パワーを決定することであって、前記ＰＱＩは、パイロットキャリア・オーバ・サーマル比（ＰＣｏＴ）を含む、決定すること、
を含む方法。
【請求項７】
前記セクタからライズオーバサーマル比（ＲｏＴ）を受信することであって、前記伝送に対する前記送信パワーは前記ＲｏＴにさらに基づいて決定される、受信すること、および、
符号分割多重接続（ＣＤＭＡ）により、前記決定された送信パワーで前記伝送を送信すること、
をさらに含む、請求項６の方法。
【請求項８】
前記セクタから干渉オーバサーマル比（ＩｏＴ）を受信することであって、前記伝送に対する前記送信パワーは前記ＩｏＴにさらに基づいて決定される、受信すること、および、
直交周波数分割多重接続（ＯＦＤＭＡ）により、前記決定された送信パワーで前記伝送を送信すること、
をさらに含む、請求項６の方法。
【請求項９】
リバースリンク上でパイロットを送信する手段、
前記リバースリンク上で送信された前記パイロットに基づいてセクタにより決定されたパイロット品質インディケータ（ＰＱＩ）を受信する手段であって、前記ＰＱＩは、パイロットキャリア・オーバ・サーマル比（ＰＣｏＴ）を含む、受信する手段、および
前記ＰＱＩと前記パイロットに対する送信パワーに基づいて、符号分割多重接続（ＣＤＭＡ）チャンネル又は直交周波数分割多重接続（ＯＦＤＭＡ）チャンネルの前記リバースリンク上の伝送に対する送信パワーを決定する手段、
を備える装置。
【請求項１０】
前記セクタからライズオーバサーマル比（ＲｏＴ）を受信する手段であって、前記伝送に対する前記送信パワーは前記ＲｏＴにさらに基づいて決定される、受信する手段、および、
符号分割多重接続（ＣＤＭＡ）により、前記決定された送信パワーで前記伝送を送信する手段、
をさらに備える、請求項９の装置。
【請求項１１】
前記セクタから干渉オーバサーマル比（ＩｏＴ）を受信する手段であって、前記伝送に対する前記送信パワーは前記ＩｏＴにさらに基づいて決定される、受信する手段、および、
直交周波数分割多重接続（ＯＦＤＭＡ）により、前記決定された送信パワーで前記伝送を送信する手段、
をさらに備える、請求項９の装置。
【請求項１２】
リバースリンク上で端末からパイロットを受信するように、前記受信されたパイロットに基づいてパイロット品質インディケータ（ＰＱＩ）を決定するように、前記ＰＱＩを前記端末へ送信するように、および、前記ＰＱＩに基づいて決定された送信パワーで前記端末により送信された、符号分割多重接続（ＣＤＭＡ）チャンネル又は直交周波数分割多重接続（ＯＦＤＭＡ）チャンネルの伝送を受信するように、構成される少なくとも１つのプロセッサであって、前記受信されたパイロットに基づいてパイロットキャリア・オーバ・サーマル比（ＰＣｏＴ）を決定するように、および、前記パイロットのＰＣｏＴに基づいて前記ＰＱＩを決定するように、構成される少なくとも１つのプロセッサ、および
前記少なくとも１つのプロセッサに結合されるメモリ、
を備える装置。
【請求項１３】
前記少なくとも１つのプロセッサは、前記受信されたパイロットに基づいてパイロットのキャリアと干渉の比（Ｃ／Ｉ）を決定するように、および、前記パイロットのＣ／Ｉにさらに基づいて前記ＰＱＩを決定するように、構成される、請求項１２の装置。
【発明の詳細な説明】
【技術分野】
【０００１】
本出願は、この被譲渡者に譲渡され、引用によってここに組み込まれる、「無線通信システムのためのパワー制御」と表題を付けられ、２００６年６月１３日に出願された、米国の仮特許出願６０／８１３４８４号の優先権を主張する。
【０００２】
本出願は、一般に通信に関する、そして、特に無線通信システムにおけるパワー制御を行なうための技法に関する。
【背景技術】
【０００３】
無線通信システムは、音声、ビデオ、パケットデータ、メッセージ、ブロードキャスト等のようなさまざまな通信サービスを提供するために幅広く配置される。これらシステムは、利用可能なシステム資源を共有することにより、複数のユーザに対する通信をサポートすることが可能な多重接続システムであってもよい。そのような多重接続システムの例は、符号分割多重接続（ＣＤＭＡ）システム、時分割多重接続（ＴＤＭＡ）システム、周波数分割多重接続（ＦＤＭＡ）システム、直交ＦＤＭＡ（ＯＦＤＭＡ）システム、そして、単一キャリアＦＤＭＡ（ＳＣ−ＦＤＭＡ）システムを含む。
【０００４】
無線多重接続通信システムは、フォワードとリバースリンク上で複数の端末と通信することが可能である。フォワードリンク（つまり、ダウンリンク）は、基地局から端末への通信リンクを指し、リバースリンク（つまり、アップリンク）は、端末から基地局への通信リンクを指す。
【０００５】
複数の端末は、同時に、フォワードリンク上でデータを受信し、および／または、リバースリンク上でデータを送信することができる。これは、時間、周波数、および／または、符号ドメインにおいて、互いに直交（ｏｒｔｈｏｇｏｎａｌ）するように、各リンク上の伝送を多重化することにより達成され得る。リバースリンク上で、完全直交（ｃｏｍｐｌｅｔｅ  ｏｒｔｈｏｇｏｎａｌ）が達成されると、結果的に、受信する基地局において他の端末からの送信と干渉しない各端末からの送信を生じる。しかしながら、異なる端末からの送信間の完全な直交性は、チャンネル状態、受信器の不完全性等により、しばしば実現されない。直交性の損失は、結果的に、各端末が同じ基地局と通信する他の端末へある程度の量の干渉を引き起こす原因となる。さらに、異なる基地局と通信する端末からの送信は、一般に、互いに直交ではない。このように、各端末は、近接する基地局と通信する他の端末に干渉を引き起こす場合がある。各端末のパフォーマンスは、そのシステムにおける他の端末からの干渉により劣化させられる。
【０００６】
従って、干渉を減らし、良好なパフォーマンスを達成するために、端末の送信パワーを制御する技法の当該技術においてニーズが存在する。
【発明の概要】
【０００７】
端末の送信パワーを制御するための技法が、ここに説明される。ある設計において、端末は、リバースリンク上で第１の伝送（たとえば、パイロット、チャンネル品質インディケータ（ＣＱＩ）等について）を送信し、そして、第１の伝送に対するフィードバック（たとえば、パワー制御コマンド、消去インディケータ（erasure indicator））を受信することができる。端末は、フィードバックに基づいて基準パワーレベル（ｒｅｆｅｒｅｎｃｅ  ｐｏｗｅｒ  ｌｅｖｅｌ）を調整し得る。端末は、セクタから干渉情報を受信する可能性もある。干渉情報は、セクタにおける、ライズオーバサーマル比（ｒｉｓｅ  ｏｖｅｒ  ｔｈｅｒｍａｌ  ｒａｔｉｏ）（ＲｏＴ）、干渉オーバサーマル比（ｉｎｔｅｒｆｅｒｅｎｃｅ  ｏｖｅｒ  ｔｈｅｒｍａｌ  ｒａｔｉｏ）（ＩｏＴ）等を含み得る。端末は、パイロット品質インディケータ（ＰＱＩ）、オフセット要素、ブースト要素等のような、他のパラメータを受信する可能性もある。端末は、干渉情報、基準パワーレベル、および／または、他のパラメータに基づいてセクタへの第２の伝送（たとえば、データやシグナリング（ｓｉｇｎａｌｉｎｇ）について）のための送信パワーを決定することができる。端末は、あるセクタからフィードバックを受信し、同じセクタや異なるセクタへ第２の伝送を送信し得る。
【０００８】
ある設計において、干渉情報は、ＲｏＴを含み、そして、第２の伝送に対する送信パワーはＲｏＴと基準パワーレベルに基づいて決定される。第２の伝送は、ＣＤＭＡで決定される送信パワーにおいて送信され得る。他の設計において、干渉情報はＩｏＴを含み、第２の伝送に対する送信パワーはＩｏＴと基準パワーレベルに基づいて決定される。第２の伝送は、ＯＦＤＭＡで決定された送信パワーにおいて送信され得る。
【０００９】
本開示の種々の態様および特徴は、下記においてさらに詳細に説明される。
【図面の簡単な説明】
【００１０】
【図１】無線通信システムを示す。
【図２】リバースリンクのフレーム構造を示す。
【図３】ＣＤＭＡとＯＦＤＭＡチャンネルのパワー制御メカニズムを示す。
【図４】フォワードリンク（ＦＬ）供給セクタとリバースリンク（ＲＬ）供給セクタによる個別の閉ループパワー制御のためのパワー制御メカニズムを示す。
【図５】干渉情報に基づく端末のパワー制御のためのプロセスを示す。
【図６】干渉情報に基づく端末のパワー制御ための装置を示す。
【図７】干渉情報に基づく端末のパワー制御に対するセクタのためのプロセスを示す。
【図８】干渉情報に基づく端末のパワー制御に対するセクタのための装置を示す。
【図９】パイロット品質インディケータ（ＰＱＩ）に基づく端末のパワー制御のためのプロセスを示す。
【図１０】パイロット品質インディケータ（ＰＱＩ）に基づく端末のパワー制御のための装置を示す。
【図１１】ＰＱＩに基づく端末のパワー制御に対するセクタのためのプロセスを示す。
【図１２】ＰＱＩに基づく端末のパワー制御に対するセクタのための装置を示す。
【図１３】１つの端末と２つの基地局／セクタのブロック図を示す。
【詳細な説明】
【００１１】
図１は、無線通信システム１００を示す。単純化のために、３つの基地局１１０、１１２、そして１１４と１つの端末１２０だけが図１に示されている。基地局は端末と通信する局である。基地局は、アクセスポイント、ノードＢ、発展したノードＢとも呼ばれ、そして、これらの機能のいくつかあるいは全てを含み得る。各基地局は、特定の地理的エリアに対して通信サービスエリアを提供する。“セル”という用語は、その用語が使用される文脈に応じて、基地局、および／または、そのカバレージエリアを指すことができる。システム能力を改善するためには、基地局は複数の（たとえば、３つ）小エリアに分割され得る。各小エリアは、別々の基地送受信局（ＢＴＳ）により提供され得る。“セクタ”という用語は、その用語が使用される文脈に応じて、ＢＴＳ、および／または、そのカバレージエリアを指すことが可能である。セクタ化されたセルの場合、そのセルのすべてのセクタのためのＢＴＳは、一般に、セルに対する基地局内に共同設置される。
【００１２】
集約化されたアーキテクチャーの場合、システム制御器１３０は基地局へ結合し、これらの基地局のために調整と制御を提供することができる。システム制御器１３０は、単一ネットワークエンティティ、あるいはネットワークエンティティの集合体であってもよい。分散化されたアーキテクチャーの場合、基地局は、必要に応じて互いに通信することができる。
【００１３】
一般に、多くの端末は、システム１００の全体にわたって分散していてもよく、各端末は、固定式または移動式であってもよい。端末１２０は、アクセス端末、移動局、ユーザ設備、加入者ユニット、局等とも呼ばれ、そして、それらの機能のいくつかあるいは全てを含むことができる。端末１２０は、携帯電話、携帯情報端末（ＰＤＡ）、無線デバイス、無線モデム、ハンドヘルド・デバイス、ラップトップ・コンピュータ等であってもよい。端末１２０は、任意の与えられた瞬間において、フォワード、および／または、リバースリンク上で、ゼロ、１つ、あるいは複数の基地局と通信を行うことができる。図１は、基地局へＲＬ伝送を送信し、これらの基地局からＦＬ伝送を受信する端末１２０を示す。図１における各種タイプの伝送は、下記において説明される。
【００１４】
ここにおいて説明されるパワー制御の技法は、セクタ化されていないセルを持つシステムと同様に、セクタ化されたセルを持つシステムに対して使用され得る。明確さために、技法は、セクタ化されたセルを持つシステムについて、下記において説明される。“基地局”と“セクタ”という用語は同義語であり、ここにおいて交換可能に使用される。図１で示される例においては、セクタ１１０は端末１２０に対するＲＬ供給セクタ（ＲＬ  ｓｅｒｖｉｎｇ  ｓｅｃｔｏｒ）であり、セクタ１１２は端末１２０に対するＦＬ供給セクタ（ＦＬ  ｓｅｒｖｉｎｇ  ｓｅｃｔｏｒ）であり、セクタ１１４は端末１２０と通信していてもよく、または、通信していなくてもよい。
【００１５】
ここにおいて説明される技法は、ＣＤＭＡ、ＴＤＭＡ、ＦＤＭＡ、ＯＦＤＭＡ、および、ＳＣ−ＦＤＭＡシステムのような各種の無線通信システムに対して使用される可能性もある。ＣＤＭＡシステムは、符号分割多重化（ＣＤＭ）を利用し、伝送は、種々の直交符号、擬似ランダムシーケンス（ｐｓｅｕｄｏ−ｒａｎｄｏｍ  ｓｅｑｕｅｎｃｅｓ）等で送信される。ＴＤＭＡシステムは、時分割多重化（ＴＤＭ）を利用し、伝送は異なるタイムスロット内で送信される。ＦＤＭＡシステムは、周波数分割多重化（ＦＤＭ）を利用し、伝送は異なるサブキャリア上で送信される。ＯＦＤＭＡシステムは直交周波数分割多重化（ＯＦＤＭ）を利用し、ＳＣ−ＦＤＭＡシステムは単一キャリア周波数分割多重化（ＳＣ−ＦＤＭ）を利用する。ＯＦＤＭとＳＣ−ＦＤＭは、トーン（ｔｏｎｅ），  ビン（ｂｉｎ）等としても呼ばれる複数の直交サブキャリアにシステム帯域幅を分割する。各サブキャリアはデータで変調され得る。一般に、変調シンボルは、ＯＦＤＭで周波数ドメイン内に、およびＳＣ−ＦＤＭで時間ドメイン内に送信される。技法は、たとえば、ＣＤＭＡ、ＯＦＤＭＡ、ＯＦＤＭＡ、およびＳＣ−ＦＤＭＡ等の多重化方式の組み合わせを利用する無線通信システムに対して使用される可能性もある。明確さのために、技法のある種の態様は、リバースリンク上のＣＤＭＡとＯＦＤＭＡを利用するシステムについて下記において説明される。
【００１６】
図２は、リバースリンクに対して使用される可能性のあるフレーム構造２００の設計を示す。伝送のタイムラインは、物理層（ＰＨＹ）フレーム、タイムスロット等としても呼ばれるフレームに分割され得る。図２に示されるように、フレームは、連続するインデックスが割り当てられることができる。各フレームは、固定化されているか、あるいは、設定が可能である、特定の時間持続期間にわたっていてもよい。たとえば、各フレームは、Ｎ個のシンボル期間にわたっていてもよい。ここで、一般に、Ｎ≧１であり、１つの設計ではＮ＝８となる。
【００１７】
図２は、サブキャリア構造も示す。システム帯域幅は、１からＫまでのインデックスを割り当てられる複数（Ｋ個）の直交サブキャリアに分割され得る。スペクトル的にまるめられたシステムでは、Ｋ個の総サブキャリアのサブセットだけが、伝送に対して使用され、残りのサブキャリアは、システムがスペクトルのマスク要件を満たすようにガードサブキャリアとしてサービス提供することができる。
【００１８】
図２は、また、リバースリンク上で、シグナリングとパイロットの伝送をサポートし得るＣＤＭＡセグメントの設計も示す。ＣＤＭＡセグメントは、任意の固定された、あるいは、設定可能な次元の時間周波数ブロックを占有することができる。図２に示される設計では、ＣＤＭＡセグメントは、Ｍ個の連続するサブキャリアをカバーし、Ｎ個のシンボル期間の１フレームにわたる。Ｎ＝８とＭ＝１２８の設計の場合、ＣＤＭＡセグメントは、Ｌ＝Ｍ・Ｎ＝１０２４個の伝送単位をカバーする。各伝送単位は、１つのシンボル期間内に１つのサブキャリアであり、１つの変調シンボルを送信するために使用されることができる。一般に、ＣＤＭＡセグメントは、Ｓ個のＣＤＭＡサブセグメントを含むことができる、ここで、Ｓ≧１。そして、各ＣＤＭＡサブセグメントは、１セットの端末のためのシグナリングとパイロットをサポートすることができる。各ＣＤＭＡサブセグメントは、Ｎ個のシンボル期間の１つのフレーム内に、Ｍ個の連続するサブキャリアをカバーし、Ｍ×Ｎの次元を有することができる。単純化のために、以下の説明の多くは、ＣＤＭＡセグメントが、１つのＣＤＭＡサブセグメントを含むことを仮定している。ＣＤＭＡセグメントは任意のレートで送信され得る。図２で示される設計では、ＣＤＭＡセグメントは、Ｑフレーム毎に送信される。ここで、一般にＱ≧１であり、いくつかの例として、Ｑ＝４、６、８等である。ＣＤＭＡセグメントは、（図２に示されるように）ＣＤＭＡフレームからＣＤＭＡフレームまでのシステム帯域幅を横切ってホップするか、あるいは、サブキャリアの固定セット上で送信され得る（図２に示されていない）。ＣＤＭＡフレームは、ＣＤＭＡセグメントが送信されるフレームである。下記に説明されるように、ＣＤＭＡセグメントは、各種の制御チャンネルをサポートし、端末により共有され得る。
【００１９】
図２は、また、トラフィックデータ、シグナリング等を運ぶことができるＯＦＤＭＡの設計も示す。ＯＦＤＭＡチャンネルは、図２に示されるように、周波数ダイバーシティを達成するために、時間を通して周波数を横切ってホップする、時間周波数ブロックのシーケンスにマップされ得る。ＯＦＤＭＡチャンネルのための各時間周波数ブロックは、任意の大きさであってもよい。それは、ＯＦＤＭＡチャンネル上で送信する情報量に依存し得る。
【００２０】
各種のチャンネルは、リバースリンク上でデータ、パイロット、シグナリングを運ぶために定義されることができる。表１は、ある設計に従ったチャネルのセットを示す。表１の第１列は、異なるチャンネルをリストしている。第２列は、たとえば、ＣＤＭＡ  やＯＦＤＭＡといった各チャンネルについて使用される多重化方式を与える。第３列は、各チャンネルについての受信（ｒｅｃｉｐｉｅｎｔ）セクタを与える。それはＲＬ供給セクタ（ＲＬＳＳ）、ＦＬ供給セクタ（ＦＬＳＳ）、あるいは、すべてのセクタであってもよい。第４列は、各チャンネルについて短い説明を与える。
【表１】
0005313321.tif 000002
【００２１】
表１は、１つの設計例である。チャンネルは、表１にリストされるものより多くのセクタに送信され得る。たとえば、ＣＱＩＣＨは、単なるＦＬ供給セクタの代わりに、すべてのセクタへ送信され得る。ＡＣＨとＲＥＱＣＨはハンドオフ指示を伝える際に、すべてのセクタにも送信され得る。一般に、システムは、リバースリンク上の任意のタイプのチャンネルと任意の数のチャンネルをサポートすることができる。たとえば、ＯＦＤＭＡ専用制御チャンネル（ＯＤＣＣＨ）は、ＭＩＭＯ、ＣＱＩ、ＢＦＣＨ、ＳＦＣＨ情報をＦＬ供給セクタへ伝えることができる。各チャンネルは、ＣＤＭＡ、ＯＦＤＭＡ等で送信されることができる。以下の説明では、ＣＤＭＡチャンネルは、ＣＤＭＡで送信されるチャンネルであり、ＯＦＤＭＡチャンネルは、ＯＦＤＭＡで送信されるチャンネルである。ＣＤＭＡチャンネルは、ＣＤＭＡセグメント上で送信されることができる。ＯＦＤＭＡチャンネルは、ＣＤＭＡセグメントのために使用されていないか、または、他の目的のために予約されていた、時間・周波数資源上で送信されることができる。
【００２２】
ＣＤＭＡチャンネルは、各種の方式で、処理され、送信され得る。ある設計では、メッセージ（たとえば、ＣＱＩ値）は、符号化されたメッセージ（たとえば、Ｗａｌｓｈシーケンス）を獲得するために、メッセージを符号化することにより、ＣＤＭＡチャンネル上で送信され得る。符号化されたメッセージは、次に、ＣＤＭＡチャンネルのためのチャンネル化シーケンス（ｃｈａｎｎｅｌｉｚａｔｉｏｎ  ｓｅｑｕｅｎｃｅ）で乗算され、そして、さらに、出力シーケンスを得るために、利得に応じて拡大・縮小される（ｓｃａｌｅ）ことができる。その利得はＣＤＭＡチャンネルのための送信パワーに基づいて決定され得る、そして、それは、たとえば、目標誤り率、目標削除レート等の性能の目標レベルを達成するためにセットされ得る。出力シーケンスは、ＣＤＭＡチャンネルが送信されるＣＤＭＡフレームのインデックス、メッセージを送信する端末に対する識別子、メッセージが送信される目標セクタに対する識別子等に基づき生成されるスクランブルシーケンスでスクランブルされ得る。スクランブルシーケンスは、ＣＤＭＡフレームの各シンボル期間に対して１つのサブシーケンスというように、Ｍ個のチップのＮ個のサブシーケンスに分割され得る。各サブシーケンスは、ＣＤＭＡセグメントに対して使用されるＭ個のサブキャリアへマップされるＭシンボルを得るために、高速フーリエ変換（ＦＦＴ）により周波数ドメインに変換され得る。
【００２３】
異なるＣＤＭＡチャンネルに対するメッセージは、符号化され、異なるチャンネル化（ｃｈａｎｎｅｌｉｚａｔｉｏｎ）符号で乗算され、これらのＣＤＭＡチャンネルに対する送信パワーに基づきスケール（ｓｃａｌｅ）され、結合され、スクランブルされ、周波数ドメインに変換され、そして、ＣＤＭＡセグメントに対するサブキャリアにマップされ得る。各ＣＤＭＡチャンネルに対するメッセージは、ＣＤＭＡセグメント内のＬ個すべての送信ユニット上で送信され得る。異なるＣＤＭＡチャンネルは、異なるチャンネル化符号を割り当てられ、これらのＣＤＭＡチャンネルは、ＣＤＭを介してＣＤＭＡセグメントを共有し得る。
【００２４】
ＯＦＤＭＡチャンネルもまた、各種の方式で送信され得る。ある設計では、パケットは、データシンボルを得るために処理（たとえば、符号化、交互インターリーブ、シンボルマップ）され得る。データシンボルは、次に、ＯＦＤＭＡチャンネルに対する時間・周波数ブロックへマップされ得る。
【００２５】
与えられたセクタに対するリバースリンクに対するＯＦＤＭＡチャンネルは、異なる時間・周波数資源を割り当てられ、次に周波数と時間において互いに直交であり得る。つまり、ＯＦＤＭＡチャンネルは、セクタで互いに最小限度の干渉を行い、これらのＯＦＤＭＡチャンネル上で送信する端末間のセクタ内干渉（ｉｎｔｒａ−ｓｅｃｔｏｒ  ｉｎｔｅｒｆｅｒｅｎｃｅ）がほとんどない場合がある。結果的に、セクタにより近くに位置した端末は、遠近（ｎｅａｒ−ｆａｒ）効果がないために、同じセクタ内の他の端末に対してほとんど影響を与えない高パワースペクトル密度（ｐｏｗｅｒ  ｓｐｅｃｔｒａｌ  ｄｅｎｓｉｔｙ）（ＰＳＤ）で、もしかすると受信され得る。
【００２６】
しかしながら、ＯＦＤＭＡチャンネルのパフォーマンスは、他のセクタからの干渉であるセクタ間干渉（ｉｎｔｅｒ−ｓｅｃｔｏｒ  ｉｎｔｅｒｆｅｒｅｎｃｅ）により影響を受ける可能性がある。セクタ間干渉は、次のように与えられる干渉オーバサーマル比（ＩｏＴ）により定量化されることができる：
【数１】
0005313321.tif 000003
【００２７】
システム帯域幅は、１つまたは複数のサブバンドあるいはサブゾーンに分割され、そして、１つのＩｏＴ値は各サブバンドあるいはサブゾーンに対して決定され得る。セクタは、ＩｏＴを推定し、そのＩｏＴを端末へ送信し得る。それは、望ましいパフォーマンスを達成するために、適宜に、ＯＦＤＭＡチャンネルの送信パワーを調整することができる。
【００２８】
複数の端末に対するＣＤＭＡチャンネルは、与えられたセクタに対する同じＣＤＭＡセグメントを共有することができる。これらの複数の端末の各々からのＣＤＭＡ送信は、それゆえ、セクタで同じＣＤＭＡセグメントを共有する他の端末からＣＤＭＡ送信に対する干渉として、作用することができる。ＣＭＤＡセグメントの容量（ｃａｐａｃｉｔｙ）と安定性は、ライズオーバサーマル比（ｒｉｓｅ  ｏｖｅｒ  ｔｈｅｒｍａｌ  ｒａｔｉｏ）（ＲｏＴ）によって定量化されることができ、それは以下のように表現され得る。
【数２】
0005313321.tif 000004
【００２９】
ＣＤＭＡセグメントが、複数のＣＤＭＡサブセグメントを含む場合には、１つのＲｏＴ値は、各ＣＤＭＡサブセグメントについて決定されることができる。
【００３０】
一般に、容量は、ＲｏＴが高くなるにつれて増加する。しかしながら、容量の利得は、特定のＲｏＴ値を超えると減少する。セクタは、ＲｏＴを推定し、そのＲｏＴを端末へ送信することができる。それは望ましいパフォーマンスを達成するために、適宜に、ＣＤＭＡチャンネルの送信パワーを調整する。
図３は、たとえば、図１に示されるチャンネルのように、リバースリンク上で送信されるＣＤＭＡとＯＦＤＭＡチャンネルのためのパワー制御メカニズム３００の設計を示す。パワー制御メカニズム３００は、図１のＲＬ供給セクタ１１０と端末１２０の間で動作する。端末１２０は、ＣＤＭＡセグメント上のパイロットチャンネルと他のＣＤＭＡチャンネルをセクタ１１０へ送信し、そして、セクタ１１０によって端末１２０へ割り当てられる時間周波数資源上でＯＦＤＭＡチャンネルも送信することができる。
【００３１】
セクタ１１０は、リバースリンク上で端末１２０と他の端末からの伝送を受信することができる。セクタ１１０において、パイロットプロセッサ３１０は、端末１２０からのパイロットを順番に検出するために、パイロットチャンネルに対して、端末１２０により実行される処理に相補的な方法で、受信される伝送を処理することができる。プロセッサ３１０は、セクタ１１０においてすべてのアンテナを横断する端末１２０と、パイロットを検出するために使用されるすべてのチャンネルタップについての、受信パイロットパワーを結合することができる。プロセッサ３１０は、次に、受信パイロットパワーに基づいて端末１２０のパイロット品質（ＰＱ）を決定することができる。
【００３２】
ある設計では、パイロット品質は、以下のように表現される、パイロット・キャリア・オーバ・サーマル比（ｐｉｌｏｔ  ｃａｒｒｉｅｒ−ｏｖｅｒ−ｔｈｅｒｍａｌ  ｒａｔｉｏ）（ＰＣｏＴ）により与えられ得る：
【数３】
0005313321.tif 000005
【００３３】
ＰｃｏＴは、セクタ１１０における、セクタ間およびセクタ内干渉を考慮しない。
【００３４】
他の設計では、パイロット品質は、以下のように表現されるパイロットのキャリアと干渉の比（Ｃ／Ｉ）により与えられ得る：
【数４】
0005313321.tif 000006
【００３５】
総ノイズと干渉は、セクタ１１０における総受信パワーであり、セクタ内干渉、セクタ間干渉、および、サーマルノイズ（ｔｈｅｒｍａｌ  ｎｏｉｓｅ）を含む。パイロット品質は他のパラメータにより与えられる可能性もある。
【００３６】
パワー制御（ＰＣ）命令生成器３１２は、プロセッサ３１０から測定パイロット品質を受信し、ＰＱ閾値に対して測定ＰＱを比較し、そして、以下のようにＰＣ命令を供給する：
【数５】
0005313321.tif 000007
【００３７】
ある設計では、端末１２０に対するＰＣ命令は、測定ＰＣｏＴとＰＣｏＴ閾値に基づいて生成され得る。この設計では、パイロットチャンネルの送信パワーは、測定ＰＣｏＴが、セクタ１１０においてＰＣｏＴ閾値にほぼ等しくなるようなＰＣ命令に基づいて調整されることができる。他のＣＤＭＡとＯＦＤＭＡチャンネルの送信パワーは、下記で説明されるように、パイロット送信パワーに基づいてセットされ得る。測定ＰＣｏＴは、セクタ間とセクタ内干渉を考慮していない。セクタ間とセクタ内干渉は、ＯＦＤＭＡチャンネルについてごくわずかなので、ＯＦＤＭＡチャンネルの送信パワーは、ＯＦＤＭＡチャンネルに対して所望の受信信号品質を達成するために、パイロット送信パワーに基づいてより精確にセットされ得る。このように、この設計は、ＯＦＤＭＡチャンネルのための改善されたパフォーマンスを提供することができる。
【００３８】
他の設計では、端末１２０に対するＰＣ命令は、測定パイロットＣ／ＩとパイロットＣ／Ｉ閾値に基づき生成され得る。この設計では、パイロットチャンネルの送信パワーは、測定パイロットＣ／ＩがパイロットＣ／Ｉ閾値にほぼ等しくなるようなＰＣ命令に基づいて調整され得る。他のＣＤＭＡとＯＦＤＭＡチャンネルの送信パワーは、パイロット送信パワーに基づいてセットされ得る。測定パイロットＣ／Ｉは、セクタ間およびセクタ内干渉を考慮に入れ、セクタ内干渉はＣＤＭＡセグメントについて比較的高い可能性がある。それゆえに、測定パイロットＣ／Ｉは、測定ＰＣｏＴより変動が少なく、そして、パイロット送信パワーは、パイロットＣ／Ｉに基づいて調整される場合には、変動が少ない可能性がある。
【００３９】
パイロット品質インディケータ（ＰＱＩ）生成器３１４は、プロセッサ３１０からパイロット品質を受信し、端末１２０に対するＰＱＩを生成することができる。ある設計では、生成器３１４は、測定ＰＣｏＴを予定されたビット数に量子化し、端末１２０に対するＰＱＩとして量子化したＰＣｏＴを供給し得る。他の設計では、生成器３１４は、パイロットＣ／Ｉ、あるいはパイロット品質の何か他の測定に基づいてＰＱＩを生成し得る。
【００４０】
ＣＤＭＡ干渉推定器３２０は、セクタ１１０においてＣＤＭＡセグメントのＲｏＴを推定することができる。推定器３２０は、ＣＤＭＡセグメントに対するすべての受信サンプルのパワーを合計することにより、時間ドメインにおけるＣＤＭＡセグメントの総受信パワーを測定することができる。推定器３２０は、また、ＣＤＭＡセグメントに対して使用されるすべてのサブキャリアからの受信シンボルのパワーを合計することにより、周波数ドメインにおけるＣＤＭＡセグメントの総受信パワーを測定してもよい。推定器３２０は、たとえば、送信される伝送が存在しない静寂なインターバルの間に、あるいは、伝送のために使用されないガードサブキャリアで、サーマルノイズを推定してもよい。推定器３２０は、それから、式（２）に示されるようなＣＤＭＡセグメントのＲｏＴを導出することができる。
【００４１】
ＯＦＤＭＡ干渉推定器３２２は、セクタ１１０においてＩｏＴを推定することができる。推定器３２２は、たとえば、セクタ１１０への伝送のために使用されないサブキャリア上で、セクタ１１０におけるセクタ間干渉を測定することができる。推定器３２２は、サーマルノイズを推定するか、あるいは、推定器３２０からこの情報を得ることができる。推定器３２２は、次に、式（１）に示されるようにセクタ１１０におけるＩｏＴをそこから導出することができる。推定器３２２は、ＩｏＴを１つ以上のＩｏＴ閾値と比較することができ、そして比較結果に基づいて他のセクタ干渉（ＯＳＩ）値を生成することができる。たとえば、ＯＳＩ値は、ＩｏＴが目標ＩｏＴ以下にあるならば、‘０’  にセットされ、ＩｏＴが目標ＩｏＴより大きいが、高ＩｏＴ以下であるならば、‘１’にセットされ、そして、ＩｏＴが高ＩｏＴより大きいならば、‘２’にセットされることができる。
【００４２】
送信シグナリングプロセッサ３３０は、生成器３１２からＰＣ命令を、生成器３１４からＰＱＩを、推定器３２０からＲｏＴを、推定器３２２からＩｏＴとＯＳＩを、そして、オフセット要素、ブースト要素等のような可能性のある他のパラメータを受信することができる。これら各種のパラメータはＣＤＭＡとＯＦＤＭＡチャンネルの送信パワーをセットするために、端末１２０により使用されることができる。プロセッサ３３０は、ＰＣ命令、ＰＱＩ、そして、他のパラメータを、処理し、たとえば、１つ以上のＦＬシグナリングチャンネル上で端末１２０へ送信することができる。一般に、ＰＣ命令、ＰＱＩ、そして、他のパラメータは、同じレートあるいは異なるレートで送信されることができる。ある設計では、ＰＣ命令は、約１４０ヘルツのレートで送信され、ＰＱＩは約７０ヘルツの率で送信され、そして、他のパラメータは、それらが更新されたときにはいつも送信され得る。プロセッサ３３０は、ＲｏＴとＩｏＴを処理し、たとえば、放送（ｂｒｏａｄｃａｓｔ）チャンネル、ＦＬ制御チャンネル等を介して、セクタ内の他の端末と端末１２０へ送信することができる。たとえば、ＲｏＴおよび／またはＩｏＴは、２５フレームをカバーするすべてのスーパーフレームのプリアンブル（ｐｒｅａｍｂｌｅ）で、放送され、シグナリングメッセージ等を介して、Ｑフレーム（ここでＱ≧１）毎に、ＦＬ制御チャンネル上で送信されることができる。
【００４３】
端末１２０は、セクタ１１０からの各種のパラメータを受信し、これらのパラメータに基づいてＣＤＭＡとＯＦＤＭＡチャンネルの送信パワーをセットすることができる。端末１２０において、受信シグナリングプロセッサ３４０は、端末１２０に対するＰＣ命令、ＰＱＩ、および他のパラメータ、セクタ１１０に対するＲｏＴとＩｏＴを獲得するために、セクタ１１０からのＦＬ伝送を受信し、処理することができる。ユニット３４２は、以下のように、ＰＣ命令を受信し、パイロットチャンネルの送信パワーを調整することができる。
【数６】
0005313321.tif 000008
【００４４】
ただし、Ｐpilot（ｎ）は、更新インターバルｎのパイロットチャンネルの送信パワー、
ΔＰpilotは、パイロット送信パワーを調整するためにステップサイズである。
【００４５】
更新インターバルｎは、ある与えられたチャンネルに対する送信インターバルと一致していてもよいし、または、一致していなくてもよい。チャンネルが送信される場合はいつでも、一番最近の更新のインターバルからのＰpilot（ｎ）値が、そのチャンネルに対する送信パワーを決定するために使用され得る。
【００４６】
パイロット送信パワーＰpilot（ｎ）とそのステップサイズΔＰpilotは、デシベル（ｄＢ）の単位で与えられ得る。式（６）に示される設計では、パイロット送信パワーは、良いパフォーマンスを提供するために選択される、たとえば０．５ｄＢ、１．０ｄＢ等のような、同じステップサイズにより増加させられ得る、あるいは減少させられ得る。他の設計では、パイロット送信パワーは、種々のアップとダウン・ステップサイズにより調整され得る。送信プロセッサ３５０は、Ｐpilot（ｎ）の送信パワーレベルでＣＤＭＡセグメント上にパイロットを生成し、送信することができる。
【００４７】
ユニット３４４は、ユニット３４２からのパイロット送信パワー、およびプロセッサ３４４からのＰＱＩ、ＲｏＴ、および／または、他のパラメータを受信することができる。ユニット３４４は、各種の方式でＣＤＭＡチャンネルの送信パワーをセットすることができる。
【００４８】
ある設計では、ユニット３４４は、以下のように、与えられたＣＤＭＡチャンネルの送信パワーをセットすることができる：
ＰＳＤCDMA（ｎ）＝ＰＳＤpilot（ｎ）＋オフセット＋ブースト            式（７）
ただし、ＰＳＤpilot（ｎ）は、更新インターバルｎのパイロットチャンネルのＰＳＤ、
ＰＳＤCDMA（ｎ）は、更新インターバルｎのＣＤＭＡチャンネルのＰＳＤ、
オフセットは、ＣＤＭＡチャンネル上で送信されるすべての送信に適用される値、
ブーストは、ＣＤＭＡチャンネル上で送信されるある送信に適用される値。
【００４９】
パイロットＰＳＤは、パイロット送信パワーを、パイロットを送信するために使用される送信ユニットの数によって割ることにより得られることができる。つまり、ＰＳＤpilot（ｎ）＝ＰＳＤCDMA（ｎ）／Ｌである。逆に、ＣＤＭＡチャンネルの送信パワーは、そのＰＳＤを、ＣＤＭＡチャンネルを送信するために使用される送信ユニットの数で、乗算することにより得られることができる。つまり、ＣＤＭＡチャンネルが同様にＬ個の送信ユニットで送信されるならば、ＰCDMA（ｎ）＝Ｌ・ＰＳＤCDMA（ｎ）である。
【００５０】
オフセットとブースト要素は、セクタ１１０によって端末１２０へ送信されることができる。オフセット要素は、パイロットチャンネルに対する目標ＳＮＲ，ＣＤＭＡチャンネルに対する目標ＳＮＲ、等に基づいてセットされることができる。オフセット要素は、負の値、正の値、あるいはゼロであってもよい。ブースト要素は、送信されているメッセージの重要性に基づいてセットされ、ゼロに等しくてもよく、または、ゼロよりも大きくてもよい。たとえば、ハンドオフ指示、負荷制御情報（たとえば、ヌル（ｎｕｌｌ）のＣＱＩ）、そして、他の重要な情報は、その情報を正確に受信する可能性を改善するために、正のブースト値とともに送信されることができる。種々のブースト値は、たとえば、高ＱｏＳデータに対して送信される要求メッセージに対するより多くのブースト（そして、逆も同様）、のように、種々のサービス品質（ＱｏＳ）のクラスに対してＲＥＱＣＨ上で送信される要求メッセージのために使用されることができる。
【００５１】
他の設計では、ユニット３４４は、以下のように、ＣＤＭＡチャンネルの送信パワーをセットすることができる：
ＰＳＤCDMA（ｎ）＝ＰＳＤpilot（ｎ）＋ＲｏＴ＋オフセット＋ブースト      式（８）
さらに他の設計では、ユニット３４４は、以下のように、ＣＤＭＡチャンネルの送信パワーをセットすることができる：
ＰＳＤCDMA（ｎ）＝ＰＳＤpilot（ｎ）−ＰＣｏＴ＋ＲｏＴ＋目標Ｃ／Ｉ＋オフセット＋ブースト                                                                式（９）
ただし、目標Ｃ／Ｉは、ＣＤＭＡチャンネルに対する。式（９）では、ＰＳＤpilot（ｎ）−ＰＣｏＴの量は、端末１２０からセクタ１１０までの伝播路損失にほぼ相当する。ＣＤＭＡチャンネルの送信パワーは、このように、ＣＤＭＡチャンネルに対する目標Ｃ／Ｉを達成するために、伝播路損失に基づいてセットされる。
【００５２】
さらに他の設計では、ユニット３４４は、以下のように、ＣＤＭＡチャンネルの送信パワーをセットすることができる：
ＰＳＤCDMA（ｎ）＝ＰＳＤpilot（ｎ）−ＰＣｏＴ＋目標ＣｏＴ＋オフセット＋ブースト
式（１０）
ただし、目標ＣｏＴはＣＤＭＡチャンネルに対する。セクタ１１０は、固定ＲｏＴでの動作を仮定することができる。それゆえに、ＲｏＴは式（１０）から省略され得る。
【００５３】
ユニット３４４は、他の方式でＣＤＭＡの送信パワーをセットすることができる。一般に、ユニット３４４は、目標セクタでの干渉（たとえばＲｏＴ）、ＣＤＭＡチャンネルに対する望ましいパフォーマンスに関連し得るあるゼロ以上のパラメータ、および基準パワーレベル（たとえば、パイロットについて）等に基づいて、ある与えられるＣＤＭＡチャンネルの送信パワーをセットすることができる。
【００５４】
異なるＣＤＭＡチャンネルは、異なるオフセット、ブースト、および／または、目標Ｃ／Ｉ値と関係付けられていてもよい。セクタ１１０は、そのＣＤＭＡチャンネルに対する所望のパフォーマンスを達成するために、各ＣＤＭＡチャンネルに対するオフセット、ブースト、および／またはＣ／Ｉ値をセットし、更新値を端末１２０へ送信することができる。端末１２０は、ＣＤＭＡチャンネルと対するオフセット、ブースト、および／または目標Ｃ／Ｉ値に基づいて、そして、上記で説明された設計のいずれかを使用して、各ＣＤＭＡチャンネルの送信パワーをセットすることができる。
【００５５】
端末１２０は、図１に示されるように、たとえば、ＲＬ供給セクタ１１０、ＦＬ供給セクタ１１２、および／または、他のセクタのような、１つより多くのセクタにＣＤＭＡチャンネルを送信することができる。異なるセクタは、異なるＲｏＴ、ＰＣｏＴ、および／または目標Ｃ／Ｉ値と関係付けられていてもよい、それらは、仮にも呼（ｃａｌｌ）間であるならば、緩やかに変化し得る準静的パラメータであってもよい。端末１２０は、各セクタの、ＲｏＴ、ＰＣｏＴ、および／または目標Ｃ／Ｉ値を得て（たとえば、レイヤ３シグナリングメッセージを介して）、そのセクタの、ＲｏＴ、ＰＣｏＴ、および／または、目標Ｃ／Ｉ値に基づいて、そのセクタへ送信されるＣＤＭＡチャンネルの送信パワーをセットすることができる。
【００５６】
ユニット３４６は、ユニット３４２からのパイロット送信パワー、およびプロセッサからのＰＱＩ、ＩｏＴ、および／または他のパラメータを受信することができる。ユニット３４６は、各種の方式で、ＯＦＤＭＡチャンネルの送信パワーをセットすることができる。
【００５７】
ある設計では、ユニット３４６は、以下のように、与えられるＯＦＤＭＡチャンネルの送信パワーをセットすることができる：
ＰＳＤOFDMA（ｎ）＝ＰＳＤpilot（ｎ）＋オフセット＋ブースト        式（１１）
ただし、ＰＳＤOFDMA（ｎ）は、更新インターバルｎにおけるＯＦＤＭＡチャンネルのＰＳＤである。
【００５８】
他の設計では、ユニット３４６は、以下のように、ＯＦＤＭＡの送信パワーをセットすることができる：
ＰＳＤOFDMA（ｎ）＝ＰＳＤpilot（ｎ）＋ＩｏＴ＋オフセット＋ブースト  式（１２）
さらに他の設計では、ユニット３４６は、以下のように、ＯＦＤＭＡの送信パワーをセットすることができる：
ＰＳＤOFDMA（ｎ）＝ＰＳＤpilot（ｎ）−ＰＣｏＴ＋ＩｏＴ＋目標Ｃ／Ｉ＋オフセット＋ブースト                                                          式（１３）
さらに他の設計では、ユニット３４６は、以下のように、ＯＦＤＭＡの送信パワーをセットすることができる：
ＰＳＤOFDMA（ｎ）＝ＰＳＤpilot（ｎ）−ＰＣｏＴ＋目標ＣｏＴ＋オフセット＋ブースト
式（１４）
ユニット３４６は、他の方式で、ＯＦＤＭＡの送信パワーをセットすることができる。ユニット３４６は、付近のセクタから受信されるＯＳＩ値に基づいてＯＦＤＭＡチャンネルの送信パワーを制限する可能性もある。一般に、ユニット３４６は、基準パワーレベル（たとえば、パイロットについて）と、ＯＦＤＭＡチャンネルに対する所望のパフォーマンスに関係するゼロ以上のパラメータと、目標セクタにおける干渉（たとえば、ＩｏＴ）等に基づいて、与えられたＯＦＤＭＡチャンネルの送信パワーをセットすることができる。
【００５９】
トラフィックデータを伝えるＯＦＤＭＡチャンネルについて、このＯＦＤＭＡチャンネルに対する最小あるいは最大ＰＳＤは、上記に説明される設計のいずれかに基づいてセットされることができる。
【００６０】
異なるＯＦＤＭＡチャンネルは、異なるオフセット、ブースト、および／または、目標Ｃ／Ｉ値に関係付けられていてもよい。セクタ１１０は、そのＯＦＤＭＡチャンネルに対する所望のパフォーマンスを達成するために、各ＯＦＤＭＡチャンネルに対するオフセット、ブースト、および／または目標Ｃ／Ｉ値をセットし、更新された値を端末１２０へ送信することができる。端末１２０は、そのＯＦＤＭＡチャンネルに対するオフセット、ブースト、および／または、Ｃ／Ｉ値に基づき、そして、上記で説明された設計のいずれかを使用して、各ＯＦＤＭＡチャンネルの送信パワーをセットすることができる。
【００６１】
端末１２０は、１より多くのセクタにＯＦＤＭＡチャンネルを送信することができる。異なるセクタは、異なるＩｏＴ、ＰｃｏＴ、および／または目標Ｃ／Ｉ値に関係付けられていてもよい。端末１２０は、各セクタに対するＩｏＴ、ＰｃｏＴ、および／または、目標Ｃ／Ｉ値を獲得し、そして、各セクタに対するＩｏＴ、ＰｃｏＴ、および／または、目標Ｃ／Ｉ値に基づいて、そのセクタに送信されるＯＦＤＭＡチャンネルの送信パワーをセットすることができる。
【００６２】
端末１２０は、フォワードとリバースリンクの両方に対する単一供給セクタを有し得る。この場合には、端末１２０は、ＣＤＭＡとＯＦＤＭＡチャンネルのすべてを１つのセクタへ送信し、たとえば、上記で説明されたように、このセクタから受信されるパラメータに基づいて、これらのチャンネルの送信パワーをセットすることができる。
【００６３】
端末１２０は、たとえば、図１に示されるように、ディスジョイント（ｄｉｓｊｏｉｎｔ）リンクとして呼ばれるフォワードとリバースリンクに対する異なる供給セクタを有し得る。この場合には、端末１２０は、いくつかのＣＤＭＡとＯＦＤＭＡチャンネルをＲＬ供給セクタへ送信し、このセクタから受信されるパラメータに基づいてこれらのチャンネルの送信パワーをセットすることができる。端末１２０は、他のＣＤＭＡとＯＦＤＭＡチャンネルをＦＬ供給セクタへ送信し、このセクタから受信されるパラメータに基づいてこれらのチャンネルの送信パワーをセットすることができる。
【００６４】
ある設計では、閉ループパワー制御は、ＲＬ供給セクタを介して、第１のチャンネル（たとえば、パイロットチャンネル）に対して実行され、そして、閉ループパワー制御は、ＦＬ供給セクタを介して第２のチャンネル（たとえば、ＣＱＩチャンネル）に対して実行されることができる。第１のチャンネルの送信パワーは、ＲＬ供給セクタへ送信される他のチャンネルの送信パワーをセットするために使用されることができる。第２のチャンネルの送信パワーは、ＦＬ供給セクタへ送信される他のチャンネルの送信パワーをセットするために使用されることができる。この設計は、異なるセクタに送信される異なる送信に対して良好なパフォーマンスを確実にすることができる。
【００６５】
図４は、ＦＬとＲＬ供給セクタによる個別の閉ループパワー制御に対するパワー制御メカニズム４００の設計を示す。この設計では、ＦＬ供給セクタ１１２は、ＣＱＩチャンネル上で閉ループパワー制御を実行する。端末１２０は、リバースリンク上でパイロットチャンネルと他のＣＤＭＡとＯＦＤＭＡチャンネルを送信することができる。ＲＬ供給セクタ１１０は、その受信した送信を処理し、そして、たとえば、図３について上で説明したように、ＰＣ命令、ＰＱＩ，ＲｏＴ、ＩｏＴ、および他のパラメータを、端末１２０へ送信することができる。
【００６６】
ＦＬ供給セクタ１１２は、リバースリンク上で端末１２０と他の端末から伝送を受信する可能性もある。セクタ１１２において、ＣＱＩプロセッサ４１０は、端末１２０により送信されるＣＱＩ値を検出するために、ＣＱＩチャンネルに対して端末１２０により実行される処理と相補的な方式で伝送を処理することができる。プロセッサ４１０は、ＣＱＩチャンネル上で受信される各符号ワード（あるいは各ＣＱＩ値）に対する測定基準（ｍｅｔｒｉｃ）を計算することができる。各種タイプの測定基準は、削除検出に使用され得る。ある設計では、エネルギーは、ＦＬ供給セクタ１１２においてアンテナを横切って、非コヒーレントに結合される。  そして、測定基準は、チャンネルタップおよびデータ仮説（data hypotheses）間で最大の結合エネルギーである。この設計では、より大きな測定基準は、修正されている受信符号ワードにおけるより大きな信頼性に対応する。逆もまた同じである。
【００６７】
消去インディケータ生成器４１２は、プロセッサ４１０から測定基準を受信し、削除閾値に対して測定基準を比較し、消去インディケータを以下のように供給することができる：
【数７】
0005313321.tif 000009
【００６８】
削除閾値は、所望のパフォーマンスを達成するように選択されることができる。
【００６９】
ＣＤＭＡ干渉推定器４２０は、セクタ１１２に対するＣＤＭＡセグメントのＲｏＴを推定することができる。ＯＦＤＭＡ干渉推定器４２２は、セクタ１１２においてＩｏＴを推定することができる。送信シグナリングプロセッサ４３０は、生成器４１２から消去インディケータを、推定器４２０からＲｏＴを、推定器４２２からＩｏＴを、そして、おそらく、端末１２０に対する他のパラメータを受信することができる。プロセッサ４３０は、消去インディケータと他のパラメータを処理し、端末１２０へ送信することができる。プロセッサ４３０は、ＲｏＴとＩｏＴを処理し、セクタ１１２内の端末１２０と他の端末へ送信することができる。
【００７０】
端末１２０は、ＲＬ供給セクタ１１０とＦＬ供給セクタ１１２の両方から、ＦＬ伝送を受信することができる。受信シグナリングプロセッサ３４０は、セクタ１１０と１１２により送信されるパラメータを再生するために、受信された伝送を処理することができる。プロセッサ３４０は、ＲＬ供給セクタ１１０からユニット３４２、３４４、３４６へパラメータを供給し、ＦＬ供給セクタ１１２からユニット３５２、３５４、３５６へパラメータを供給することができる。ユニット３４２、３４４、および３４６は、図３について上で説明されたように、セクタ１１０から受信されるパラメータに基づき、ＲＬ供給セクタ１１０へ送信されるＣＤＭＡとＯＦＤＭＡチャンネルとパイロットチャンネルの送信パワーをセットすることができる。
【００７１】
ＦＬ供給セクタ１１２へ送信されるＣＤＭＡとＯＦＤＭＡチャンネルについて、ユニト３５２は、消去インディケータを受信し、以下のように、ＣＱＩの送信パワーを調整する：
【数８】
0005313321.tif 000010
【００７２】
ただし、ＰＣＱＩ（ｎ）は、更新インターバルｎのＣＱＩチャンネルの送信パワー
ΔＰＣＱＩは、ＣＱＩ送信パワーを調整するためのステップサイズである。
【００７３】
ＣＱＩ送信パワーは、式（１６）に示されるように、等しいアップおよびダウン・ステップサイズにより、あるいは、異なるアップおよびダウン・ステップサイズにより調整され得る。プロセッサ３５０は、ＰＣＱＩ（ｎ）の送信パワーレベルでＣＱＩチャンネル上にＣＱＩ値を生成し、送信することができる。ＣＱＩ送信パワーは、ＦＬ供給セクタ１１２へ送信されるＣＤＭＡとＯＦＤＭＡチャンネルに対する基準パワーレベルとして使用されることができる。ユニット３５４は、ユニット３５２からのＣＱＩ送信パワーとプロセッサ３４０からのＲｏＴ、および／または、他のパラメータを受信することができる。ユニット３５４は、上で説明された設計のいずれかに基づいて、セクタ１１２へ送信されるＣＤＭＡチャンネルの送信パワーをセットすることができる。ユニット３５６は、ユニット３５２からのＣＱＩ送信パワーとプロセッサ３４０からのＩｏＴ、および／または他のパラメータを受信することができる。ユニット３５６は、上に説明される設計のいずれかに基づいて、セクタ１１２へ送信されるＯＦＤＭＡチャンネル（たとえば、ＡＣＫチャンネル）の送信パワーをセットすることができる。
【００７４】
図４に示される設計において、閉ループパワー制御は、ＦＬ供給セクタ１１２によりＣＱＩチャンネル上で実行される。一般に、閉ループパワー制御は、ＦＬ供給セクタ１１２へ送信される任意のチャンネル上で実行されることができる。ＦＬ供給セクタ１１２からのフィードバックは、パワー制御されているチャンネルに依存し得る。セクタ１１２は、図４に示されるように消去インディケータ、ＰＣ命令、あるいは、パワー制御されているチャンネルの送信パワーを調整するために、端末１２０によって使用され得る他のフィードバックを送信することができる。
【００７５】
一般に、ＦＬ供給セクタ１１２へ送信されるＣＤＭＡとＯＦＤＭＡチャンネルの送信パワーは、（１）ＦＬ供給セクタ１１２によりパワー制御されるチャンネルの送信パワー、あるいは、（２）ＲＬ供給セクタ１１０によりパワー制御されるチャンネルの送信パワー、に基づいてセットされることができる。たとえば、ＦＬ供給セクタ１１２へ送信されるＡＣＫチャンネルの送信パワーは、セクタ１１２により制御されるＣＱＩチャンネルの送信パワーか、あるいは、セクタ１１０により制御されるパイロットチャンネルの送信パワーに基づいてセットされることができる。
【００７６】
図５は、干渉情報に基づくパワー制御のために端末により実行されるプロセス５００の設計を示す。第１の伝送は、リバースリンク上で送信されることができる（ブロック５１２）。第１の伝送に対するフィードバックは、受信されることができる（ブロック５１４）。基準パワーレベルは、フィードバックに基づいて調整されることができる（ブロック５１６）。干渉情報（たとえば、ＲｏＴ、ＩｏＴ等について）は、セクタから受信されることができる（ブロック５１８）。セクタへの第２の伝送に対する送信パワーは、干渉情報、基準パワーレベル、および、おそらく、他のパラメータに基づいて決定されることができる（ブロック５２０）。たとえば、第２の伝送に対する送信パワーは、第２の伝送の送信に使用されるチャンネルに対するオフセット要素にさらに基づいて決定されることができる。オフセット要素は、チャンネルに対する目標パフォーマンスを達成するためにセットされることができる。その代わりに、あるいは、追加として、第２の伝送に対する送信パワーは、第２の伝送に対するブースト要素にさらに基づいて決定されることができる。ブースト要素は、たとえば、第２の伝送がハンドオフ情報を伝える場合の高いブーストのように、第２の伝送において送信されている情報のタイプに依存し得る。第２の伝送は、ＣＤＭＡあるいはＯＦＤＭＡにより、決定された送信パワーで送信されることができる（ブロック５２２）。
【００７７】
ある設計では、第１の伝送は、パイロットに対するものであり、フィードバックはパイロットに対するＰＣ命令を含む。パイロットに対する送信パワーは、ＰＣ命令に基づいて調整され、基準パワーレベルとして使用されることができる。他の設計では、第１の伝送は、ＣＱＩに対するものであり、フィードバックは、ＣＱＩに対する消去インディケータを含む。ＣＱＩに対する送信パワーは、消去インディケータに基づいて調整され、基準パワーレベルとして使用されることができる。第１の伝送は、他のタイプの伝送（たとえば、他のシグナリング）に対するものでも有り得るし、他のタイプのフィードバックは、基準パワーレベルの調整のために、受信され、使用されることができる。そのフィードバックは、あるセクタ（たとえば、ＲＬやＦＬ供給セクタ）から受信され、第２の伝送はその同じセクタへ送信されることができる。あるいは、フィードバックは、あるセクタ（たとえば、ＲＬ供給セクタ）から受信されてもよく、第２の伝送は他のセクタ（たとえば、ＦＬ供給セクタ）へ送信されてもよい。
【００７８】
ある設計では、干渉情報はＲｏＴを含み、第２の伝送に対する送信パワーは、ＲｏＴと基準パワーレベルに基づいて決定される。第２の伝送は、決定された送信パワーでＣＤＭＡにより送信されることができる。他の設計では、干渉情報はＩｏＴを含み、第２の伝送に対する送信パワーは、ＩｏＴと基準パワーレベルに基づき決定される。第２の伝送は、決定された送信パワーでＯＦＤＭＡにより送信されることができる。第２の伝送は、データ、シグナリング等に対するものであってもよい。
【００７９】
図６は端末に対する装置６００の設計を示す。装置６００は、リバースリンク上で第１の伝送を送信する手段（モジュール６１２）、第１の伝送に対するフィードバックを受信する手段（モジュール６１４）、フィードバックに基づき基準パワーレベルを調整する手段（モジュール６１６）、セクタから干渉情報を受信する手段（モジュール６１８）、干渉情報、基準パワーレベル、および、おそらく、他のパラメータに基づきセクタへの第２の伝送に対する送信パワーを決定する手段（モジュール６２０）、そして、ＣＤＭＡあるいはＯＦＤＭＡにより決定された送信パワーで第２の伝送を送信する手段（モジュール６２２）を含む。
【００８０】
図７は、端末に対して、セクタ（たとえば、ＲＬ供給セクタ、あるいはＦＬ供給セクタ）により、実行されるプロセス７００の設計を示す。第１の伝送はリバースリンク上で端末から受信されることができる（ブロック７１２）。フードバックは第１の伝送に基づき生成されることができる（ブロック７１４）。セクタでの干渉は干渉情報を獲得するために推定されることができる（ブロック７１６）。フィードバックと干渉情報は、端末へ送信されることができる（ブロック７１８）。その後、セクタは、フィードバック、干渉情報、そして、おそらく他のパラメータに基づいて決定される送信パワーで端末により送信される第２の伝送を受信することができる（ブロック７２０）。他のパラメータは、第２の伝送、第２の伝送に対するブースト要素等を送信するために使用されるチャンネルに対するオフセット要素を含むことができる。第２の伝送はＣＤＭＡあるいはＯＦＤＭＡに基づいて処理されることができる（ブロック７２２）。
【００８１】
ある設計では、第１の伝送はパイロットに対するものであり、ＰＣｏＴは受信パイロットに基づき決定され、ＰＣ命令はＰＣｏＴに基づき生成され、フィードバックとして端末へ送信される。他の設計では、第１の伝送はパイロットに対するものであり、パイロットＣ／Ｉは受信パイロットに基づいて決定され、ＰＣ命令はパイロットＣ／Ｉに基づいて生成され、フィードバックとして端末へ送信される。さらに他の設計では、第１の伝送はＣＱＩに対するものであり、消去インディケータは受信ＣＱＩに基づいて生成され、フィードバックとして端末へ送信される。
【００８２】
ある設計では、セクタにおけるＲｏＴは推定され、端末へ送信されることができる。ＣＤＭＡ復調は、第２の伝送に対して実行されることができる。他の設計では、セクタにおけるＩｏＴは推定され、端末へ送信されることができる。ＯＦＤＭＡ復調は、第２の伝送に対して実行されることができる。
【００８３】
図８は、セクタに対する装置８００の設計を示す。装置８００は、リバースリンク上で端末から第１の伝送を受信するための手段（モジュール８１２）、第１の端末に基づいてフィードバックを生成する手段（モジュール８１４）、干渉情報を獲得するためにセクタで干渉を推定する手段（モジュール８１６）、フィードバックと干渉情報を端末へ送信する手段（モジュール８１８）、フィードバック、干渉情報、および、おそらく、他のパラメータに基づき決定される送信パワーで端末により送信される第２の伝送を受信する手段（モジュール８２０）、そして、ＣＤＭＡあるいはＯＦＤＭＡに基づき第２の伝送を処理する手段を含む（モジュール８２２）。
【００８４】
図９は端末により実行される処理９００の設計を示す。パイロットはリバースリンク上で送信されることができる（ブロック９１２）。ＰＣ命令は受信され、パイロットに対する送信パワーは、ＰＣ命令に基づいて調整されることができる。端末は、リバースリンク上で送信されるパイロットに基づいて、セクタにより決定されるＰＱＩを受信することができる（ブロック９１４）。ＰＱＩは、ＰＣｏＴ、パイロットＣ／Ｉ等を含むことができる。リバースリンク上の送信に対する送信パワーは、ＰＱＩとパイロットに対する送信パワーに基づき決定されることができる（ブロック９１６）。干渉情報は、セクタから受信され、送信に対する送信パワーの決定に使用される可能性もある。
【００８５】
ある設計では、ＲｏＴはセクタから受信され、伝送に対する送信パワーはさらに、ＲｏＴに基づき決定され、伝送はＣＤＭＡにより決定された送信パワーで送信されることができる。他の設計では、ＩｏＴはセクタから受信され、伝送に対する送信パワーは、さらにＩｏＴに基づき決定され、伝送はＯＦＤＭＡにより決定された送信パワーで送信され得る。
【００８６】
図１０は、端末に対する装置１０００の設計を示す。装置１０００は、リバースリンク上でパイロットを送信する手段（モジュール１０１２）、リバースリンク上で送信されるパイロットに基づいてセクタにより決定されるＰＱＩを受信する手段（モジュール１０１４）、そして、ＰＱＩとパイロットの送信パワーに基づいて、リバースリンク上の伝送に対する送信パワーを決定する手段（モジュール１０１６）を含む。
【００８７】
図１１は、セクタ（たとえば、ＲＬ供給セクタあるいはＦＬ供給セクタ）により、端末に対して実行されるプロセス１１００の設計を示す。パイロットは、リバースリンク上の端末から受信されることができる（ブロック１１１２）。ＰＱＩは受信パイロットに基づき決定され（ブロック１１１４）、端末へ送信されることができる（ブロック１１１６）。干渉情報（たとえば、ＲｏＴ、ＩｏＴ等について）もまた決定され、端末へ送信され得る。セクタは、次に、ＰＱＩと、おそらく他の情報に基づいて決定される送信パワーで端末によって送信される伝送を受信することができる（ブロック１１１８）。セクタは、ＣＤＭＡあるいはＯＦＤＭＡに基づく伝送を処理することができる。
【００８８】
図１２は、セクタのための装置１２００の設計を示す。装置１２００は、リバースリンク上で端末からのパイロットを受信する手段（モジュール１２１２）、受信したパイロットに基づいてＰＱＩを決定する手段（モジュール１２１４）、ＰＱＩを端末へ送信する手段（モジュール１２１６）、そして、ＰＱＩと、おそらく他の情報に基づいて決定される送信パワーで端末により送信される伝送を受信する手段（モジュール１２１８）を含む。
【００８９】
図６、８、１０、および１２のモジュールは、プロセッサ、電子デバイス、ハードウェアデバイス、電子部品、論理回路、メモリ等、あるいはそれらの組み合わせを備えることができる。
【００９０】
図１３は、図１における、端末１２０、ＲＬ供給セクタ／基地局１１０、およびＦＬ供給セクタ／基地局１１２の設計のブロック図を示す。セクタ１１０において、送信プロセッサ１３１４ａは、データソース１３１２ａからのトラフィックデータと、制御器／プロセッサ１３３０ａと、スケジューラ１３３４ａからのシグナリングを受信することができる。たとえば、制御器／プロセッサ１３３０ａは、端末１２０に対するＰＣ命令、ＰＱＩｓ、および他のパラメータ、ならびに、セクタ１１０に対するＲｏＴおよびＩｏＴを供給することができる。スケジューラ１３３４ａは、端末１２０に対する時間・周波数資源の割り当てを供給することができる。送信プロセッサ１３１４ａは、データ、シグナリング、そしてパイロットを処理（たとえば、符号化、インターリーブ、および、シンボルマップ）し、データシンボル、シグナリングシンボル、そして、パイロットシンボルをそれぞれ供給することができる。変調器（ＭＯＤ）１３１６ａは、ＯＦＤＭ変調を実行し、出力チップを供給することができる。送信器（ＴＭＴＲ）１３１８ａは、出力チップを調整（ｃｏｎｄｉｔｉｏｎ）（たとえば、アナログへの変換、増幅、フィルタ、アップコンバート）し、アンテナ１３２０ａを介して送信されるフォワードリンク信号を生成することができる。
【００９１】
セクタ１１２は、セクタ１１２により供給される端末のためのトラフィックデータとシグナリングを、同様に処理することができる。データ、シグナリング、およびパイロットは、送信プロセッサ１３１４ｂにより処理され、変調器１３１６ｂにより変調され、送信器１３１８Ｂにより調整され、アンテナ１３２０ｂを介して送信されることができる。
【００９２】
端末１２０において、アンテナ１３５２は、セクタ１１０と、１１２と、そして、おそらく他のセクタから、フォワードリンク信号を受信することができる。受信機（ＲＣＶＲ）１３５４は、アンテナ１３５２からの受信信号を調整（たとえば、フィルタ、増幅、ダウンコンバート、およびデジタル化）し、サンプルを供給することができる。復調器（ＤＥＭＯＤ）１３５６は、ＯＦＤＭ復調を実行し、シンボル推定を供給することができる。受信プロセッサ１３５８は、シンボル推定を処理（たとえば、シンボルデマップ、デインターリブ（ｄｅｉｎｔｅｒｌｅａｖｅ）、復号）し、復号データをデータシンク（ｓｉｎｋ）１３６０へ供給し、復号シグナリング（たとえば、ＰＣ命令、ＰＱＩｓ，消去インディケータ、ＲｏＴ、ＩｏＴ等）を制御器／プロセッサ１３７０へ供給することができる。
【００９３】
リバースリンクに関して、送信プロセッサ１３８２は、データソース１３８０からトラフィックデータを、そして制御器／プロセッサ１３７０からシグナリング（たとえば、ＣＱＩ値あるいはＡＣＫｓ等）を受信し、処理することができる。変調器１３８４は、ＯＦＤＭＡチャンネルに対するＯＦＤＭ変調と、パイロットとＣＤＭＡチャンネルに対するＣＤＭＡ変調を実行し、すべてのチャンネルのために出力チップを供給することができる。送信機１３８６は、出力チップを調整し、アンテナ１３５２を介して送信されるリバースリンク信号を生成することができる。
【００９４】
各セクタにおいて、端末１２０と他の端末からのリバースリンク信号は、アンテナ１３２０により受信され、受信機１３４０により調整され、復調器１３４２により復調され、受信プロセッサ１３４４により処理されることができる。プロセッサ１３４４は、復号データをデータシンク１３４６に、復号シグナリングを制御器／プロセッサ１３３０に供給することができる。ＲＬ供給セクタ１１０において、復調器１３４２ａは端末１２０に対するパイロット品質を推定し、制御器／プロセッサ１３３０ａにこの情報を供給することができる。制御器／プロセッサ１３３０ａは、上記で説明されたように、端末１２０に対するＰＣ命令、ＰＱＩｓ、および／または、他のパラメータを生成することができる。ＦＬ供給セクタ１１２において、受信プロセッサ１３４４ｂは、端末１２０に対するＣＱＩ測定基準を決定し、この情報を制御器／プロセッサ１３３０ｂに供給することができる。制御器／プロセッサ１３３０ｂは、上記で説明されたように、端末１２０に対する消去インディケータ、および／または、他のパラメータを生成することができる。
【００９５】
制御器／プロセッサ１３３０ａ、１３３０ｂ、および１３７０は、それぞれ、セクタ１１０、１１２、および端末１２０における動作を、指示することができる。メモリ１３３２ａ、１３３２ｂ、および１３７２は、それぞれ、セクタ１１０、１１２、および端末１２０に対するデータとプログラムコードを格納することができる。スケジューラ１３３４ａおよび１３３４ｂは、それぞれ、セクタ１１０と１１２と通信する端末をスケジュールし、そして、チャンネル、および／または、時間・周波数資源を端末に割り当てることができる。
【００９６】
図１３のプロセッサは、ここにおいて説明される技法のための各種の機能を実行することが可能である。たとえば、プロセッサ１３３０ａ、および／または、１３３４ａは、ＲＬ供給セクタ１１０に対する図３のユニット３１０から３３０までの部分あるいはすべてを実行することができる。プロセッサ１３３０ｂ、および／または、１３３４ｂはＦＬ供給セクタ１１２に対して、図４のユニット４１０から４３０までの部分あるいはすべてを実行することができる。プロセッサ１３５８、１３７０、および／または、１３８２は、端末１２０に対して、図３と４のユニット３４０から３５６までの部分およびすべてを実現することができる。これらのプロセッサは、図５から１２を通じての処理の部分あるいはすべてを実現することができる。
【００９７】
ここで説明される技法は、各種の手段で実現され得る。たとえば、これらの技法は、ハードウェア、ファームウェア、ソフトウェア、あるいは、それらの組み合わせで実現され得る。ハードウェア・インプリメンテーションについては、技法を実行するために使用される処理ユニットは、１以上の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールドプログラマブルゲートアレー（ＦＰＧＡ）、プロセッサ、制御器、マイクロ制御器、マイクロプロセッサ、電子デバイス、ここにおいて説明される機能を実行するために設計される他の電子ユニット、コンピュータ、および、それらの組み合わせ、でインプリメントされ得る。
【００９８】
ファームウェアおよび／またはソフトウェア・インプリメンテーションについては、技法は、ここで説明される機能を実行するモジュール（たとえば、手順、機能等）でインプリメントされ得る。ファームウェア、および／または、ソフトウェアは、メモリ（たとえば、図１３のメモリ１３３２ａ、１３３２ｂ、または１３７２）に格納され、プロセッサ（たとえば、プロセッサ１３３０ａ、１３３０ｂ、または１３７０）により実行され得る。メモリは、プロセッサの内部、あるいはプロセッサの外部でインプリメントされ得る。ファームウェア、および／または、ソフトウェア命令は、ランダムアクセスメモリ（ＲＡＭ）、読み取り専用メモリ（ＲＯＭ）、不揮発性ランダムアクセスメモリ（ＮＶＲＡＭ）、プログラマブル読み取り専用メモリ（ＰＲＯＭ）、電気的消去可能ＰＲＯＭ（ＥＥＰＲＯＭ）、フラッシュメモリ、コンパクトディスク（ＣＤ）、磁界および光学データ記憶デバイス等のような、他のプロセッサ可読媒体に格納され得る。
【００９９】
本開示の前の説明によって、当業者であれば、本開示の製造と使用は可能である。本開示へのさまざまな修正は、当業者にとっては容易に明白になり、そして、ここで定義される一般的な原理は、本開示の範囲から逸脱することなく、他の変形に応用され得る。このように、本開示は、ここで示される例示や設計に限定されることを意図するものではなく、ここで開示される原理と新規な特徴と一致する最も広い範囲を与えられることを意図するものである。
以下に本件出願当初の特許請求の範囲に記載された発明を付記する。
［１］
リバースリンク上で送信される第１の伝送に対するフィードバックを受信するように、前記フィードバックに基づいて基準パワーレベルを調整するように、セクタからの干渉情報を受信するように、および、前記干渉情報と前記基準パワーレベルに基づいて前記セクタへの第２の伝送に対する送信パワーを決定するように、構成される少なくとも１つのプロセッサと、
前記少なくとも１つのプロセッサに結合されるメモリ、
を含む装置。
［２］
前記干渉情報は、少なくとも１つのライズオーバサーマル比（ＲｏＴ）と、干渉オーバサーマル比（ＩｏＴ）を含む、［１］の装置。
［３］
前記少なくとも１つのプロセッサは、前記リバースリンク上で前記第１の伝送としてパイロットを送信するように、前記フィードバックとして前記パイロットに対するパワー制御（ＰＣ）命令を受信するように、前記ＰＣ命令に基づいて前記パイロットに対する送信パワーを調整するように、および、前記基準パワーレベルとして前記パイロットに対する前記送信パワーを使用するように、構成される、［１］の装置。
［４］
前記セクタは、リバースリンク供給セクタであり、前記少なくとも１つのプロセッサは、前記セクタから前記ＰＣ命令を受信するように、および、前記セクタへ前記第２の伝送を送信するように、構成される、［３］の装置。
［５］
前記セクタは、フォワードリンク供給セクタであり、前記少なくとも１つのプロセッサは、リバースリンク供給セクタから前記ＰＣ命令を受信するように、および、前記フォワードリンク供給セクタへ前記第２の伝送を送信するように、構成される、［３］の装置。
［６］
前記少なくとも１つのプロセッサは、前記リバースリンク上の前記第１の伝送としてチャンネル品質インディケータ（ＣＱＩ）を送信するように、前記フィードバックとして前記ＣＱＩに対する消去インディケータを受信するように、前記消去インディケータに基づいて前記ＣＱＩに対する送信パワーを調整するように、および、前記基準パワーレベルとして前記ＣＱＩに対する前記送信パワーを使用するように、構成される、［１］の装置。
［７］
前記少なくとも１つのプロセッサは、前記セクタからライズオーバサーマル比（ＲｏＴ）を受信するように、そして、前記ＲｏＴと前記基準パワーレベルに基づいて前記第２の伝送に対する前記送信パワーを決定するように、構成される、［１］の装置。
［８］
前記少なくとも１つのプロセッサは、符号分割多重接続（ＣＤＭＡ）により決定された送信パワーで前記第２の伝送を送信するように、構成される、［７］の装置。
［９］
前記少なくとも１つのプロセッサは、前記セクタ干渉オーバサーマル比（ＩｏＴ）を受信するように、および、前記ＩｏＴと前記基準パワーレベルに基づいて前記第２の伝送に対する前記送信パワーを決定するように、構成される、［１］の装置。
［１０］
前記少なくとも１つのプロセッサは、直交周波数分割多重接続（ＯＦＤＭＡ）により前記決定された送信パワーで前記第２の伝送を送信するように、構成される、［９］の装置。
［１１］
前記少なくとも１つのプロセッサは、さらに前記第２の伝送を送信するために使用されるチャンネルに対するオフセット要素に基づいて、前記第２の伝送に対する前記送信パワーを決定するように、構成される、［１］の装置。
［１２］
前記オフセット要素は、前記チャンネルに対する目標パフォーマンスを達成するようにセットされる、［１１］の装置。
［１３］
前記少なくとも１つのプロセッサは、さらに、前記第２の伝送に対するブースト要素に基づいて、前記第２の伝送に対する前記送信パワーを決定するように、構成される、［１］の装置。
［１４］
前記ブースト要素は、前記第２の伝送で送信される情報のタイプに依存しており、そして、前記第２の伝送がハンドオフ情報を伝える場合に、より高くセットされる、［１３］の装置。
［１５］
リバースリンク上で送信される第１の伝送に対するフィードバックを受信することと、
前記フィードバックに基づいて基準パワーレベルを調整することと、
セクタから干渉情報を受信することと、
前記干渉情報と前記基準パワーレベルに基づいて、前記セクタへの第２の伝送に対する送信パワーを決定すること、  
を含む方法。
［１６］
前記第１の伝送はパイロットに対するものであり、前記フィードバックは前記パイロットに対するパワー制御（ＰＣ）命令を含み、そして、
前記基準パワーレベルを調整することは、
前記ＰＣ命令に基づいて前記パイロットに対する送信パワーを調整することと、
前記基準パワーレベルとして前記パイロットに対する前記送信パワーを使用すること、
を含む、［１５］の方法。
［１７］
前記第１の伝送はチャンネル品質インディケータ（ＣＱＩ）に対するものであり、前記フィードバックは前記ＣＱＩに対する消去インディケータを含み、そして、
前記基準パワーレベルを調整することは、
前記消去インディケータに基づいて前記ＣＱＩに対する送信パワーを調整することと、
前記基準パワーレベルとして前記ＣＱＩに対する前記送信パワーを使用すること、
を含む、［１５］の方法。
［１８］
前記干渉情報は、ライズオーバサーマル比（ＲｏＴ）を含み、前記第２の伝送に対する前記送信パワーは前記ＲｏＴと前記基準パワーレベルに基づいて決定され、そして、前記方法は、符号分割多重接続（ＣＤＭＡ）により前記決定された送信パワーで前記第２の伝送を送信すること、
をさらに含む、［１５］の方法。
［１９］
前記干渉情報は、干渉オーバサーマル比（ＩｏＴ）を含み、前記第２の伝送に対する前記送信パワーは前記ＩｏＴと前記基準パワーレベルに基づいて決定され、そして、前記方法は、直交周波数分割多重接続（ＯＦＤＭＡ）により前記決定された送信パワーで前記第２の伝送を送信すること、
をさらに含む、［１５］の方法。
［２０］
前記第２の伝送に対する前記送信パワーを決定することは、
前記第２の伝送の送信に使用されるチャンネルに対するオフセット要素と、前記第２の伝送に対するブースト要素の、少なくとも１つに、さらに、基づいて、前記第２の伝送に対する前記送信パワーを決定すること、
を含む、［１５］の方法。
［２１］
リバースリンク上で送信される第１の伝送に対するフィードバックを受信する手段と、
前記フィードバックに基づいて基準パワーレベルを調整する手段と、
セクタから干渉情報を受信する手段と、
前記干渉情報と前記基準パワーレベルに基づいて、前記セクタへの第２の伝送に対する送信パワーを決定する手段、
を備える装置。
［２２］
前記干渉情報は、ライズオーバサーマル比（ＲｏＴ）を含み、前記第２の伝送に対する前記送信パワーは前記ＲｏＴと前記基準パワーレベルに基づいて決定され、そして、前記装置は、
符号分割多重接続（ＣＤＭＡ）により前記決定された送信パワーで前記第２の伝送を送信する手段、
をさらに備える、［２１］の装置。
［２３］
前記干渉情報は、干渉オーバサーマル比（ＩｏＴ）を含み、前記第２の伝送に対する前記送信パワーは前記ＩｏＴと前記基準パワーレベルに基づいて決定され、そして、前記装置は、
直交周波数分割多重接続（ＯＦＤＭＡ）により前記決定される送信パワーで前記第２の伝送を送信する手段、
をさらに備える、［２１］の装置。
［２４］
前記第２の伝送に対する前記送信パワーを決定する前記手段は、
前記第２の伝送を送信するために使用されるチャンネルに対するオフセット要素と、前記第２の伝送に対するブースト要素の、少なくとも１つに、さらに基づき、前記第２の伝送に対する前記送信パワーを決定する手段、
を備える、［２１］の方法。
［２５］
リバースリンク上で送信される第１の伝送に対するフィードバックの受信に関する第１の命令セットと、
前記フィードバックに基づいて、基準パワーレベルの調整に関する第２の命令セットと、
セクタからの干渉情報の受信に関する第３の命令セットと、
前記干渉情報と前記基準パワーレベルに基づいて、前記セクタへの第２の伝送に対する送信パワーを決定するための第４の命令セット、
を含む、そこにおいて格納される命令を含むプロセッサ可読媒体。
［２６］
前記干渉情報は、ライズオーバサーマル比（ＲｏＴ）を含み、前記第２の伝送に対する前記送信パワーは前記ＲｏＴと前記基準パワーレベルに基づいて決定され、そして、前記プロセッサ可読媒体は、
符号分割多重接続（ＣＤＭＡ）により前記決定された送信パワーで前記第２の伝送を生成するための第５の命令セット、
をさらに含む、［２５］のプロセッサ可読媒体。
［２７］
前記干渉情報は、干渉オーバサーマル比（ＩｏＴ）を含み、前記第２の伝送に対する前記送信パワーは前記ＩｏＴと前記基準パワーレベルに基づいて決定され、そして、前記プロセッサ可読媒体は、
直交周波数分割多重接続（ＯＦＤＭＡ）により前記決定される送信パワーで前記第２の伝送を生成するための第５の命令セット、
をさらに含む、［２５］のプロセッサ可読媒体。
［２８］
前記第４の命令セットは、前記第２の伝送の送信に使用されるチャンネルに対する少なくとも１つのオフセット要素と、前記第２の伝送に対するブースト要素に、さらに基づいて、前記第２の伝送に対する前記送信パワーをさらに決定する、［２５］のプロセッサ可読媒体。
［２９］
リバースリンク上で端末から第１の伝送を受信するように、前記第１の伝送に基づいてフィードバックを生成するように、セクタで干渉を推定し、かつ干渉情報を得るように、前記フィードバックと前記干渉情報を前記ターミナルへ送信するように、そして、前記フィードバックと前記干渉情報に基づいて決定された送信パワーで前記端末により送信される第２の伝送を受信するように、構成される少なくとも１つのプロセッサと、
前記少なくとも１つのプロセッサに結合されるメモリ、
を備える、装置。
［３０］
前記少なくとも１つのプロセッサは、前記端末から前記第１の伝送としてパイロットを受信するように、前記受信されたパイロットに基づいてパワー制御（ＰＣ）命令を生成するように、なそして、前記フィードバックとして前記ＰＣ命令を前記端末へ送信するように、構成される、
［２９］の装置。
［３１］
前記少なくとも１つのプロセッサは、前記端末から前記第１の伝送としてパイロットを受信するように、前記受信されたパイロットに基づいてパイロットキャリア・オーバ・サーマル比（ＰＣｏＴ）を決定するように、前記ＰＣｏＴに基づいてパワー制御（ＰＣ）命令を生成するように、そして、前記フィードバックとして前記ＰＣ命令を前記端末へ送信するように、構成される、［２９］の装置。
［３２］
前記少なくとも１つのプロセッサは、前記端末から前記第１の伝送としてパイロットを受信するように、前記受信されたパイロットに基づいてパイロットのキャリアと干渉の比（Ｃ／Ｉ）を決定するように、前記パイロットＣ／Ｉに基づいてパワー制御（ＰＣ）命令を生成するように、そして、前記フィードバックとして前記ＰＣ命令を前記端末へ送信するように、構成される、［２９］の装置。
［３３］
前記少なくとも１つのプロセッサは、前記端末から前記第１の伝送としてシグナリングを受信するように、前記受信されたシグナリングに基づいて消去インディケータを生成するように、そして、前記フィードバックとして前記消去インディケータを前記端末へ送信するように、構成される、［２９］の装置。
［３４］
前記少なくとも１つのプロセッサは、前記セクタでライズオーバサーマル比（ＲｏＴ）を推定するように、前記ＲｏＴを含む前記干渉情報を送信するように、そして、前記端末からの前記第２の伝送に対する符号分割多重接続（ＣＤＭＡ）の復調を実行するように、構成される、［２９］の装置。
［３５］
前記少なくとも１つのプロセッサは、前記セクタで干渉オーバサーマル比（ＩｏＴ）を推定するように、前記ＩｏＴを含む前記干渉情報を送信するように、および、前記端末から前記第２の伝送に対する直交周波数分割多重接続（ＯＦＤＭＡ）の復調を実行するように、構成される、［２９］の装置。
［３６］
前記少なくとも１つのプロセッサは、第２の伝送を送信するために使用されるチャンネルに対するオフセット要素を決定するように、そして、前記端末へ前記オフセット要素を送信するように構成され、および、前記第２の伝送に対する前記送信パワーは、前記オフセット要素に、さらに基づいて決定される、［２９］の装置。
［３７］
前記少なくとも１つのプロセッサは、第２の伝送に対するブースト要素を決定するように、そして、前記端末へ前記ブースト要素を送信するように構成され、および、前記第２の伝送に対する前記送信パワーは、前記ブースト要素に、さらに基づいて決定される、［２９］の装置。
［３８］
リバースリンク上でパイロットを送信するように、リバースリンク上で送信される前記パイロットに基づいてセクタにより決定されるパイロット品質インディケータ（ＰＱＩ）を受信するように、および、前記ＰＱＩと前記パイロットに対する送信パワーに基づいてリバースリンク上の伝送に対する送信パワーを決定するように、構成される少なくとも１つのプロセッサと、
前記少なくとも１つのプロセッサに結合されるメモリ、
を備える、装置。
［３９］
前記ＰＱＩは、パイロットキャリア・オーバ・サーマル比（ＰＣｏＴ）、あるいは、パイロットのキャリアと干渉の比（Ｃ／Ｉ）を含む、［３８］の装置。
［４０］
前記少なくとも１つのプロセッサは、前記パイロットに対するパワー制御（ＰＣ）命令を受信するように、および、前記ＰＣ命令に基づいて前記パイロットに対する前記送信パワーを調整するように、構成される、［３８］の装置。
［４１］
前記少なくとも１つのプロセッサは、前記セクタからの干渉情報を受信するように、および、前記干渉情報にさらに基づいて前記伝送に対する前記送信パワーを決定するように、構成される、［３８］の装置。
［４２］
前記少なくとも１つのプロセッサは、前記セクタからライズオーバサーマル比（ＲｏＴ）を受信するように、前記ＲｏＴにさらに基づいて前記伝送に対する前記送信パワーを決定するように、および、符号分割多重接続（ＣＤＭＡ）により前記決定された送信パワーで前記伝送を送信するように、構成される、［３８］の装置。
［４３］
前記少なくとも１つのプロセッサは、前記セクタから干渉オーバサーマル比（ＩｏＴ）を受信するように、前記ＩｏＴにさらに基づいて前記伝送に対する前記送信パワーを決定するように、および、直交周波数分割多重接続（ＯＦＤＭＡ）により前記決定された送信パワーで前記伝送を送信するように、構成される、［３８］の装置。
［４４］
リバースリンク上でパイロットを送信すること、
前記リバースリンクリンク上で送信される前記パイロットに基づいてセクタにより決定されるパイロット品質インディケータ（ＰＱＩ）を受信すること、および、
前記ＰＱＩと前記パイロットに対する送信パワーに基づいて前記リバースリンク上の伝送に対する送信パワーを決定すること、
を含む方法。
［４５］
前記セクタからライズオーバサーマル比（ＲｏＴ）を受信すること、そこにおいて、前記伝送に対する前記送信パワーは前記ＲｏＴにさらに基づいて決定される、および、
符号分割多重接続（ＣＤＭＡ）により前記決定された送信パワーで前記伝送を送信すること、
をさらに含む、［４４］の方法。
［４６］
前記セクタから干渉オーバサーマル比（ＩｏＴ）を受信すること、そこにおいて、前記伝送に対する前記送信パワーは前記ＩｏＴにさらに基づいて決定される、および、
直交周波数分割多重接続（ＯＦＤＭＡ）により前記決定された送信パワーで前記伝送を送信すること、
をさらに含む、［４４］の方法。
［４７］
リバースリンク上でパイロットを送信する手段と、
前記リバースリンク上で送信される前記パイロットに基づいてセクタにより決定されるパイロット品質インディケータ（ＰＱＩ）を受信する手段と、
前記ＰＱＩと前記パイロットに対する送信パワーに基づいて前記リバースリンク上の伝送に対する送信パワーを決定する手段、
を備える装置。
［４８］
前記セクタからライズオーバサーマル比（ＲｏＴ）を受信する手段、そこにおいて、前記伝送に対する前記送信パワーは前記ＲｏＴにさらに基づいて決定される、および、
符号分割多重接続（ＣＤＭＡ）により前記決定された送信パワーで前記伝送を送信する手段、
をさらに備える、［４７］の装置。
［４９］
前記セクタから干渉オーバサーマル比（ＩｏＴ）を受信する手段、そこにおいて、前記伝送に対する前記送信パワーは前記ＩｏＴにさらに基づいて決定される、および、
直交周波数分割多重接続（ＯＦＤＭＡ）により前記決定された送信パワーで前記伝送を送信する手段、
をさらに備える、［４７］の装置。
［５０］
リバースリンク上で端末からパイロットを受信するように、前記受信されたパイロットに基づいてパイロット品質インディケータ（ＰＱＩ）を決定するように、前記ＰＱＩを前記端末へ送信するように、および、前記ＰＱＩに基づいて決定された送信パワーで、前記端末により送信される伝送を受信するように、構成される、少なくとも１つのプロセッサと、
前記少なくとも１つのプロセッサに結合されるメモリ、
を備える装置。
［５１］
前記少なくとも１つのプロセッサは、前記受信されるパイロットに基づいてパイロットキャリア・オーバ・サーマル比（ＰＣｏＴ）を決定するように、および、前記パイロットのＰＣｏＴに基づいて前記ＰＱＩを決定するように、構成される、［５０］の装置。
［５２］
前記少なくとも１つのプロセッサは、前記受信されるパイロットに基づきパイロットのキャリアと干渉の比（Ｃ／Ｉ）を決定するように、および、前記パイロットのＣ／Ｉに基づいて前記ＰＱＩを決定するように、構成される、［５０］の装置。
【図１】
0005313321.tif 000011
【図２】
0005313321.tif 000012
【図３】
0005313321.tif 000013
【図４】
0005313321.tif 000014
【図５】
0005313321.tif 000015
【図６】
0005313321.tif 000016
【図７】
0005313321.tif 000017
【図８】
0005313321.tif 000018
【図９】
0005313321.tif 000019
【図１０】
0005313321.tif 000020
【図１１】
0005313321.tif 000021
【図１２】
0005313321.tif 000022
【図１３】
0005313321.tif 000023